(57)【要約】      （修正有）【解決手段】単軸の攪拌軸１に、攪拌軸１の回転に伴い回転する回転攪拌部材１２Ａ−１、１２Ａー２を外面に有すると共に、内部に攪拌軸１が回転しても回転しないように固定攪拌部材１２Ｂを取付けた回転ドラム１１及び下端に取付けた掘削羽根５と、固定攪拌部材１２Ｂに攪拌軸１が回転しても回転しない固定ブレ−ド１４を連設してなる混合攪拌装置。回転ドラム１１の内側と外側とで逆方向の掘削土の移動を行わせて掘削土の地盤中での対流攪拌を生じさせるようにしてなる地盤改良の単軸対流混合攪拌装置Ｘ。【効果】単軸の攪拌軸での地盤改良装置において、攪拌軸の回転により、回転ドラム１１の内側と外側とで逆方向の掘削土の移動を行わせて掘削土の地盤中での対流攪拌が行われるので剪断力が格段に向上し共周り現象及び掘削土の団子化の防止効果が格段に向上する。【選択図】図３
2008095401.tif 000002
【特許請求の範囲】
【請求項１】
掘削部材を回転させながら地盤を掘削し、掘削土と固化材とを混合して地盤中に杭を形成し地盤を改良する工法に使用される混合攪拌装置において、単軸の攪拌軸に、当該攪拌軸の回転に伴い回転する回転攪拌部材を外面に有してなる回転ドラムを取付けると共に、当該ドラムの内部に当該攪拌軸が回転しても回転しないように固定攪拌部材を取付け、且つ、当該固定攪拌部材に当該攪拌軸が回転しても回転しない固定ブレ−ドを連設してなる混合攪拌装置であって、当該ドラムの内側と外側とで逆方向の掘削土の移動を行わせて掘削土の地盤中での対流攪拌を生じさせるようにしてなることを特徴とする地盤改良の単軸対流混合攪拌装置。
【請求項２】
固定ブレ−ドが、掘削部材の上部に位置し、該掘削部材と該固定ブレ−ドとの間で掘削土の地盤中での水平攪拌を生じさせるようにしてなることを特徴とする、請求項１に記載の地盤改良の単軸対流混合攪拌装置。
【発明の詳細な説明】
【技術分野】
【０００１】
本発明は、地盤改良の単軸対流混合攪拌装置に関し、特に、地盤に杭を形成し地盤を改良する工法に使用される単軸の対流混合攪拌装置に関するものである。
【背景技術】
【０００２】
軟弱地盤や埋め立て地などの地盤の強度が比較的に弱い場所において、地盤に改良を施して、建造物を構築する場合、コンクリ−ト等で製造された杭を打ち込む工法があるが、騒音問題などで敬遠されつつある。
一方、当該工法に代わり、地盤に穴を掘削してその掘削土にセメントや凝固剤や硬化剤等と称される注入材（固化材）を注入し混合攪拌により杭を形成するという工法（場所打ち杭構築工法）が行われている。
従来、当該穴の掘削には、ベ−スマシン等が用いられ、一軸（単軸）の回転軸（攪拌軸）の上下方向に複数の撹拌棒などの撹拌体を当該軸に対して直角方向に突設させ、これら複数の撹拌棒などの撹拌体を当該回転軸の回転に伴い一体に（共に）回転させ、硬化剤を噴射させつつ、前記のように、掘削土と硬化剤等の固化材とを撹拌混練し、その硬化により地盤を改良するという工法が用いられている。
しかるに、上記した従来の単軸の回転軸の上下方向に複数の撹拌棒などの撹拌体を当該軸に対して直角方向に突設させ、これら複数の撹拌棒などの撹拌体を当該回転軸の回転に伴い一体に回転させる地盤改良装置では、これら複数の撹拌棒が全て回転軸と一体に回転するので、掘削土が同軸と一体に回転してしまうという所謂共周り現象を起こしてしまい、充分な撹拌混練が行えず、特に、粘性土からなる地盤のように硬化剤が混練し難いような場合には、掘削土が撹拌棒を包み込む形の団子状態になり、全く撹拌混練が行えない場合があるという欠点があった。
そこで、撹拌用の回転軸を、相互に逆方向に回転する外軸と内軸の二重軸に構成し、当該内外軸のそれぞれに撹拌翼を取付し、互いに内外側で反対方向に回転させてなる地盤改良装置が提案されている（特公平３−４０１６６号公報）。尚、他に、関連した当該地盤改良装置に関して記載した特許の例としては、特開平１−１７９１７号公報、特開平６−１９３０４７号公報、特開平６−１９３０５９号公報、特開平１０−１５９０８３号公報が挙げられる。
しかるに、当該二重軸に構成した地盤改良装置では、内外二重管が必要であること、当該内外二重管を相互に逆回転させる為の回転伝動軸が必要で、その為の専用機が必要であること、高価に付くこと、回転数の決定に際しては内外の回転数の比率が問題となること、又、組立分解が難しいことなどの欠点があった。
又、上記の内外二重軸に構成した地盤改良装置では、回転軸に直角方向に複数の撹拌棒などの撹拌体を突設させて、回転軸に対して水平方向の攪拌回転を行なっているので、当該撹拌装置の全体を地盤中において上下動させなければ地盤の上下方向（深さ方向）での攪拌を充分なものにすることが出来ず、従って、こうした従来装置において上下方向への動きを少ないものにするには、当該撹拌装置の上下方向の長さを長くする必要があり、また、水平方向での回転攪拌では、せっかく、撹拌用の回転軸を相互に逆方向に回転させ剪断力を向上させるようにしていても、それを活かすことが出来ず、剪断力が弱く、掘削の速度も遅く、撹拌混練も不充分となり易く、前記共周り現象及び掘削土の団子化の防止効果も未だ不充分な場合があった。
更に、前記の場所打ち杭構築工法では、地盤の土質が粘度や粘性の大きな土であると、掘削された土が攪拌翼などの攪拌部材と共に回転して当該注入材との混合作用を良好に行うことができずに、杭の強度が弱くなり、延ては、建築物の支持強度を弱いものにするという問題があった。
そこで、上記のような二重軸に構成した地盤改良装置を使用した地盤改良装置の欠点を解消するものとして、特開２０００−３４５５５５号公報には、二重軸に構成した地盤改良装置であるが対流攪拌を利用した地盤改良装置及びそれによる地盤改良方法が提案され、上記のような二重軸に構成した地盤改良装置や共回り防止部材を使用した地盤改良装置の欠点を解消して、対流攪拌が行われるので、硬化剤がその対流に乗って拡散され、撹拌混練効果が高いものになり、又、地盤中を上下方向に余り移動させなくても充分な上下方向での攪拌を確保して良好な地盤改良を行うことができ、更には、対流攪拌が行われるので、当該撹拌装置の上下方向の長さは短くて足り、装置を小型化できる等の利点があるようになった。
又、特許第３６５６１９５号公報には、単軸の攪拌軸に、一方は掘削土を押し上げ他方は掘削土を押し下げる攪拌部材を取付けると共に、地盤中で回転しない固定ドラムを取付け、掘削土の地盤中での対流攪拌を生じさせるようにしてなる地盤改良の単軸対流混合攪拌装置が提案され、当該装置では、固定ドラム４は回転しないようにし、当該固定ドラム４の中側に当該攪拌部材の内の一つの攪拌部材２Ｂ（中羽根２Ｂ）を位置させ、単軸の攪拌軸の回転により回転させて掘削土を押し下げる形態にし、一方、他方の攪拌部材２Ａ（外羽根２Ａ）は、当該固定ドラム４の外側に位置させ、単軸の攪拌軸の回転により回転させて掘削土を押し上げる形態にする。それにより、単軸の攪拌軸１での地盤改良装置を提供できるので、二重軸に構成した地盤改良装置のような内外二重管が必要なく、単独の攪拌軸１で回転が可能であること、二重軸に構成した地盤改良装置では内外二重管を相互に逆回転させる為の回転伝動軸が必要であるが、単軸回転の１方向の回転でよいこと、二重軸に構成した地盤改良装置ではその為の専用機が必要であったが、汎用機で足りること、組立分解が容易になること、又、コスト的に安価に提供できることなどの利点があり、又、回転軸１の回転により掘削部材２Ａ、２Ｂが共に回転するが、一方は掘削土を押し上げ、他方は、掘削土を押し下げ、又、地盤中で回転しない固定ドラム４の存在により、対流攪拌が行われるので、剪断力が格段に向上し、共回り現象及び掘削土の団子化の防止効果が格段に向上し、粘性土からなる地盤のように硬化剤が混練し難いような場合にも良好な撹拌混練が行われ、さらには、掘削の速度が向上し、地盤改良作業をより一層短期間で完了させることができ、干潟地のような水分含有量の多い地盤に粉状の硬化剤を用いた場合にも、良好な撹拌混練を行うことができるなどの利点があるようになった。
更に、特開２００５−１９４７１０号公報には、図５に示すように、固定ドラム４の中側に当該攪拌部材の内の一つの攪拌部材２Ｂ（中羽根２Ｂ）を位置させ、単軸の攪拌軸１の回転により回転させて掘削土を押し下げる形態にし、一方、他方の攪拌部材２Ａ（外羽根２Ａ）は、当該固定ドラム４の外側に位置させ、単軸の攪拌軸の回転により回転させて掘削土を押し上げる形態にして上記特許第３６５６１９５号公報における地盤改良装置と同様の構成にし、更に、リング８０１を有する前記ドラム４の回転を停止させる部材８を取付けてなる地盤改良の単軸対流混合攪拌装置が提案されており、当該地盤改良の単軸対流混合攪拌装置によれば上記と同様の利点を有する一軸（単軸）の対流攪拌を利用した地盤改良の単軸対流混合攪拌装置が得られ、当該地盤改良の単軸対流混合攪拌装置によれば、リング８０１により、比較的に柔らかい地盤の場合でも、又、比較的に硬い場合にも、回転せずに、当該固定ドラム４の共回り防止効果をより一層発揮できる。なお、当該装置にて、３は、リング８０１を有する前記ドラム４の回転を停止させる部材８の取付けの為の外ロッド、５は、掘削部材、６は、連結リングで、当該ドラム４とは離隔して設けて攪拌部材２Ａ（外羽根２Ａ）や攪拌部材２Ｂ（中羽根２Ｂ）を回転させるためのものである。
【特許文献１】特公平３−４０１６６号公報、特開平１−１７９１７号公報、特開平６−１９３０４７号公報、特開平６−１９３０５９号公報、特開平１０−１５９０８３号公報、特開平１−１３１７１６号公報、特開平３−２１２５１２号公報、特開平４−２８９３１９号公報、特開平６−２６０３２号公報、特開２０００−３４５５５５号公報、特許第３６５６１９５号公報、特開２００５−１９４７１０号公報
【発明の開示】
【発明が解決しようとする課題】
【０００３】
本発明は、上記従来技術の有する欠点を解消することの出来る技術を提供することを目的としたもので、又、上記した対流攪拌による地盤改良の単軸対流混合攪拌装置を更に改良した装置を提供することにある。
本発明の他の目的や新規な特徴については本件明細書及び図面の記載からも明らかになるであろう。
【課題を解決するための手段】
【０００４】
本発明の特許請求の範囲は、次の通りである。
（請求項１）掘削部材を回転させながら地盤を掘削し、掘削土と固化材とを混合して地盤中に杭を形成し地盤を改良する工法に使用される混合攪拌装置において、単軸の攪拌軸に、当該攪拌軸の回転に伴い回転する回転攪拌部材を外面に有してなる回転ドラムを取付けると共に、当該ドラムの内部に当該攪拌軸が回転しても回転しないように固定攪拌部材を取付け、且つ、当該固定攪拌部材に当該攪拌軸が回転しても回転しない固定ブレ−ドを連設してなる混合攪拌装置であって、当該ドラムの内側と外側とで逆方向の掘削土の移動を行わせて掘削土の地盤中での対流攪拌を生じさせるようにしてなることを特徴とする地盤改良の単軸対流混合攪拌装置。
（請求項２）固定ブレ−ドが、掘削部材の上部に位置し、該掘削部材と該固定ブレ−ドとの間で掘削土の地盤中での水平攪拌を生じさせるようにしてなることを特徴とする、請求項１に記載の地盤改良の単軸対流混合攪拌装置。
【発明の効果】
【０００５】
本発明によれば、軟弱地盤や埋め立て地などの地盤の強度が弱い場所において、地盤に改良を施して、建造物を構築する場合に、地盤に穴を掘削してその掘削土壌に固化材を注入し混合攪拌により杭を形成するという工法において、単軸の攪拌軸での地盤改良装置を提供できるので、二重軸に構成した地盤改良装置のような内外二重管が必要なく、単独の攪拌軸で回転が可能であること、二重軸に構成した地盤改良装置では内外二重管を相互に逆回転させる為の回転伝動軸が必要であるが、単軸回転の１方向の回転でよいこと、二重軸に構成した地盤改良装置ではその為の専用機が必要であったが、汎用機で足りること、組立分解が容易になること、又、コスト的に安価に提供できることなどの利点がある。
又、本発明によれば、単軸の攪拌軸での地盤改良装置であって、対流攪拌が行われるので、剪断力が格段に向上し、共周り現象及び掘削土の団子化の防止効果が格段に向上し、粘性土からなる地盤のように硬化剤が混練し難いような場合にも良好な撹拌混練が行われ、さらには、掘削の速度が向上し、地盤改良作業をより一層短期間で完了させることができ、干潟地のような水分含有量の多い地盤に粉状の硬化剤を用いた場合にも、良好な撹拌混練を行うことができる。又、従来例のような水平方向での攪拌ではないので、地盤中を上下方向に余り移動させなくても、充分な上下方向での攪拌を確保して良好な地盤改良を行うことができ、更に、対流攪拌が行われるので、当該撹拌装置の上下方向の長さは短くて足り、装置を小型化できる利点がある。
本発明によれば、前記の特開２００５−１９４７１０号公報における地盤改良の単軸対流混合攪拌装置をより良いように改良できる。即ち、当該特開２００５−１９４７１０号公報における地盤改良の単軸対流混合攪拌装置では、図５に示すように、リング８０１を有するドラム４の回転を停止させる部材８が上部に位置し、その位置まで掘削して、初めてその機能を発揮し始め、又、図示のように、当該リング８０１を有するドラム４の回転を停止させる部材８を回転軸１に取付けるのに外ロッド３を介して取り付けているので、当該外ロッド３の費用が必要で、更には、当該外ロッド３により当該地盤改良の単軸対流混合攪拌装置の重量を重くしていたが、本発明によれば、固定攪拌部材の回転を停止させる固定ブレ−ドが、掘削部材の近傍上部に位置させているので、掘削開始直後から本来の機能を発揮でき、又、該掘削部材と該固定ブレ−ドとの間で掘削土の地盤中での水平攪拌が生じ攪拌効率を向上させることができる。
更には、本発明によれば、掘削部材、回転攪拌部材及び固定攪拌部材がそれぞれ独立したパ−ツとなって全体が組み立てられているため、各損傷具合により当該パ−ツの交換が容易なようになっている。
【発明を実施するための最良の形態】
【０００６】
次に、本発明の実施例を図面に基づいて説明する。
【０００７】
実施例１．
本発明の実施例を図面に基づいて説明する。
図１に示すように、地盤改良の単軸対流攪拌装置Ｘにおける単軸の攪拌軸（回転ロッド、回転軸、掘削軸）１に、軸受け９を介装し、ドラム取付け部材１０を介して回転ドラム１１を取付ける。
図１及び図２に示すように、当該回転ドラム１１の外面には、２個の回転攪拌部材１２Ａを取付ける。当該２個の回転攪拌部材１２Ａは、それぞれ当該回転ドラム１１の外側に位置することになる。
当該回転攪拌部材１２Ａは、図１及び図２に示すように、２個のスパイラル状の回転羽根１２Ａ−１及びスパイラル状の回転羽根１２Ａ−２とからなり、当該スパイラル状の回転羽根１２Ａ−１及びスパイラル状の回転羽根１２Ａ−２は、回転ロッド１を中心としてミラ−状に（対称的に）配設する。
図２に示すように、固定攪拌部材取付本体１３の外面には固定攪拌部材１２Ｂが取付けられていると共に、当該取付本体１３の下部には固定ブレ−ド１４が取付けられており、図１に示すように、当該回転ロッド１に、カラ−１５を介して、外面に固定攪拌部材１２Ｂが取付けられていると共に、下部に固定ブレ−ド１４が取付けられた当該固定攪拌部材取付本体１３を取付ける。
当該固定ブレ−ド１４は、例えば、図示のような長方形に構成されている。当該固定ブレ−ド１４は、動かないように当該取付本体１３に周設されている。
当該固定攪拌部材１２Ｂは、図１及び図２に示すように、当該固定攪拌部材取付本体１３の外面にスパイラル状に巻き付けられている。
当該固定攪拌部材１２Ｂは、図１に示すように、回転ドラム１１の内側に位置させる。
回転ドラム１１の外側の前記回転攪拌部材１２Ａと回転ドラム１１の内側の当該固定攪拌部材１２Ｂとは、図示のように、その巻き付けが同じとなるように同一方向に設置される。
図１に示すように、当該地盤改良の単軸対流攪拌装置Ｘにおいて、当該回転ロッド１の下部には、掘削部材（掘削羽根）５が取付けられ、吐出口１６からは、固化材が吐出して掘削土と混合される。
【０００８】
図１に示すように、当該地盤改良の単軸対流攪拌装置Ｘにおいて、前記固定ブレ−ド１４は、掘削部材（掘削羽根）の近傍上部に位置させる。
【０００９】
図３に示すように、当該地盤改良の単軸対流攪拌装置Ｘにおいて、当該回転ロッド１の回転に伴い掘削部材（掘削羽根）５が回転する。当該回転ロッド１の回転方向と同じ方向に掘削部材（掘削羽根）５は回転する。
当該回転ロッド１にはドラム取付け部材１０を介して回転ドラム１１を取付けており、当該回転ドラム１１は、当該回転ロッド１の回転に伴い回転する。当該回転ロッド１の回転方向と同じ方向に当該回転ドラム１１は回転する。
当該回転ドラム１１の外面には、回転ロッド１を中心としてミラ−状に（対称的に）２個の回転攪拌部材（回転羽根）１２Ａが取付けられており、当該回転攪拌部材１２Ａにおける当該２個のスパイラル状の回転羽根１２Ａ−１及びスパイラル状の回転羽根１２Ａ−２は、共に当該回転ドラム１１の回転に伴い回転する。
当該回転ドラム１１の外部の当該スパイラル状の回転羽根１２Ａ−１及びスパイラル状の回転羽根１２Ａ−２は、回転ロッド１、掘削部材（掘削羽根）５及び回転ドラム１１の回転に伴い、当該回転ドラム１１の外部で回転するが、当該回転ドラム１１の内部の攪拌部材１２Ｂは、回転しないようになっている。即ち、当該固定攪拌部材（固定羽根）１２Ｂが取付けられた固定攪拌部材取付本体１３は、当該回転ロッド１に取り付けられるが、当該固定攪拌部材取付本体１３は、当該回転ロッド１が回転しても回転しないように空回りするように取り付けられているので、回転しない。当該固定攪拌部材取付本体１３の下部には固定ブレ−ド１４が取付けられており、当該固定攪拌部材取付本体１３や当該固定攪拌部材（固定羽根）１２Ｂが回転しないようになっているので、当該固定ブレ−ド１４も回転しない。
当該固定攪拌部材１２Ｂは、図１及び図２に示すように、当該固定攪拌部材取付本体１３の外面にスパイラル状に巻き付けられている。
前記２個の回転攪拌部材（回転羽根）１２Ａは、回転ドラム１１の外側に位置させ、一方、当該固定攪拌部材（固定羽根）１２Ｂは、回転ドラム１１の内側に位置させるが、当該回転攪拌部材（回転羽根）１２Ａと当該固定攪拌部材（固定羽根）１２Ｂとは、同一方向に巻き付け、同じ回転方向になるようにして、掘削土の流れが同じ向きになるようにする。
図３に示すように、当該単軸の回転ロッド１の回転に伴い、掘削部材（掘削羽根）５を回転させながら地盤を掘削し、掘削土と固化材とを混合して地盤中に杭を形成し地盤を改良して行くが、掘削部材（掘削羽根）５で掘り起こされた土砂は、吐出口１６から吐出（噴出）された固化材（セメントミルク）と一緒に回転する。
当該単軸の回転ロッド１が回転しても、固定攪拌部材取付本体１３、固定攪拌部材（固定羽根）１２Ｂ及び固定ブレ−ド１４は回転せずに空回りし、下方に降下してくる。
掘削部材（掘削羽根）５で掘り起こされた土砂は、吐出口１６から吐出（噴出）された固化材（セメントミルク）と一緒に回転し、当該固定ブレ−ド１４と掘削部材（掘削羽根）５との剪断により一次的な水平攪拌が行なわれる。
次いで、固定羽根１２Ｂの外側の回転ドラム１１が回転すると、当該回転ドラム１１の内側（中側）の土砂は、図３の矢標に示すように、上方に押し上げられる。
一方、当該回転ドラム１１の外側の土砂は、当該回転ドラム１１の外面の回転羽根１２Ａにより、図３の矢標に示すように、下方に押し下げられる。
即ち、当該回転ドラム１１の内側と外側とで逆方向の掘削土（固化材）の移動を行わせて掘削土（固化材）の地盤中での対流攪拌を生じさせることができる。
尚、当該装置では、一般に、攪拌軸１の右回転は、掘削を進め、その左回転は、装置の引き上げであり、当該回転方向の相違により、掘削土の押し上げ、押し下げの対流の方向も逆になる。
【００１０】
本発明の当該地盤改良の単軸対流攪拌装置Ｘは、図２に示すように、各構成部材（パ−ツ）に分離でき、当該パ−ツにより、図１に示すように、その全体を組み立てることができる。従って、分解し、各パ−ツのメンテナンスが容易で、各損傷具合により当該パ−ツイの交換も容易である。
図２（ａ）に示すように、ドラム取付け部材１０と回転ドラム１１と２個の回転攪拌部材１２Ａとが一体化されており、回転ロッド１から軸受け９を取り外し、当該一体化されたドラム取付け部材１０と回転ドラム１１と２個の回転攪拌部材１２Ａを取り外してメンテナンスすることができる。
図２（ｂ）に示すように、固定攪拌部材取付本体１３の外面には固定攪拌部材１２Ｂが取付けられていると共に、当該取付本体１３の下部には固定ブレ−ド１４が取付けられ、一体化されているので、回転ロッド１からカラ−１５を取り外し、当該固定攪拌部材１２Ｂが取付けられ又固定ブレ−ド１４が取付けられた当該固定攪拌部材取付本体１３を取り外してメンテナンスすることができる。
【００１１】
次に、上記実施例１の当該地盤改良の単軸対流攪拌装置Ｘの適用の一例を、図４に基づいて説明する。
移動可能なベ−スマシン１７の駆動モ−タ１８の下部に、上記図１に例を示すような地盤改良の単軸対流攪拌装置Ｘの攪拌軸１を装着し、当該単軸の攪拌軸１の回転により、回転ドラム１１及びその外側の回転羽根１２Ａを回転させ、一方、回転ドラム１１内側の固定羽根１２Ｂ及び当該固定羽根１２Ｂに連設した固定ブレ−ド１４は回転させずに空回りさせると、当該回転ドラム１１の内側（中側）の土砂は上方に押し上げられ、他方、当該回転ドラム１１の外側の土砂は、当該回転ドラム１１の外面の回転羽根１２Ａにより、図３の矢標に示すように、下方に押し下げられ、当該回転ドラム１１の内側と外側とで逆方向の掘削土（固化材）の移動が行われて、掘削土（固化材）の地盤中での対流攪拌を生じさせることができ、掘削土の対流攪拌をしつつ、掘削羽根５の掘削と共に、掘削を進行して行き、地盤に垂直な円形柱状の掘削穴を掘削し、固化材（硬化剤）が攪拌軸１の内部を経由して吐出口１６から噴射し、当該硬化剤と掘削土とを撹拌混練し、掘削穴中に地盤改良部分を形成させ地盤を改良させることができる。
上記実施例によれば、軟弱地盤や埋め立て地などの地盤の強度が弱い場所において、地盤に改良を施して、建造物を構築する場合に、地盤に穴を掘削してその掘削土壌に固化材を注入し混合攪拌により杭を形成するという工法において、単軸の攪拌軸１での地盤改良装置を提供できるので、二重軸に構成した地盤改良装置のような内外二重管が必要なく、単独の攪拌軸１で回転が可能であること、二重軸に構成した地盤改良装置では内外二重管を相互に逆回転させる為の回転伝動軸が必要であるが、単軸回転の１方向の回転でよいこと、二重軸に構成した地盤改良装置ではその為の専用機が必要であったが、汎用機で足りること、組立分解が容易になること、又、コスト的に安価に提供できることなどの利点がある。
又、上記実施例によれば、単軸の攪拌軸（回転軸）１での地盤改良装置Ｘであり、対流攪拌が行われるので、剪断力が格段に向上し、共周り現象及び掘削土の団子化の防止効果が格段に向上し、粘性土からなる地盤のように硬化剤が混練し難いような場合にも良好な撹拌混練が行われ、さらには、掘削の速度が向上し、地盤改良作業をより一層短期間で完了させることができ、干潟地のような水分含有量の多い地盤に粉状の硬化剤を用いた場合にも、良好な撹拌混練を行うことができる。又、従来例のような水平方向での攪拌ではないので、地盤改良装置Ｘを地盤中を上下方向に余り移動させなくても、充分な上下方向での攪拌を確保して良好な地盤改良を行うことができ、更に、対流攪拌が行われるので、当該地盤改良装置Ｘの上下方向の長さは短くて足り、地盤改良装置Ｘを小型化でき、地盤改良装置Ｘの横方向への移動のみで、連続した横方向の地盤の改良が行える利点がある。
特に、本発明によれば、前記の特開２００５−１９４７１０号公報における地盤改良の単軸対流混合攪拌装置をより良いように改良できる。即ち、当該特開２００５−１９４７１０号公報における地盤改良の単軸対流混合攪拌装置では、図５に示すように、リング８０１を有するドラム４の回転を停止させる部材８が上部に位置し、その位置まで掘削して、初めてその機能を発揮し始め、又、図示のように、当該リング８０１を有するドラム４の回転を停止させる部材８を回転軸１に取付けるのに外ロッド３を介して取り付けているので、当該外ロッド３の費用が必要で、更には、当該外ロッド３により当該地盤改良の単軸対流混合攪拌装置の重量を重くしていたが、本発明によれば、固定攪拌部材１２Ｂの回転を停止させる固定ブレ−ド１４が、掘削部材５の近傍上部に位置させているので、掘削開始直後から本来の機能を発揮でき、又、該掘削部材５と該固定ブレ−ド１４との間で掘削土の地盤中での水平攪拌が生じ攪拌効率を向上させることができる。
更には、本発明によれば、図２に示すように、掘削部材５、回転攪拌部材１２Ａ及び固定攪拌部材１２Ｂがそれぞれ独立したパ−ツとなって全体が組み立てられているため、各損傷具合により当該パ−ツの交換が容易なようになっている。
【００１２】
本発明に使用される固化材としては、その目的に添うものであれば、セメントや凝固剤や固化材や硬化剤等名称の如何に係わらずに使用することができ、当該固化材の具体例には、セメントミルク、珪酸ソ−ダなどが挙げられる。
【００１３】
本発明は、適宜変更が可能であり、例えば、前記実施例では、回転ドラム１１の外面には、２個の回転攪拌部材１２Ａを取付ける例を示したが、１個でもよいし、又、一つの固定羽根１２Ｂを設ける例を示したが、２つ以上固定羽根を設置してもよい。
【産業上の利用可能性】
【００１４】
本発明は、掘削部材を回転させながら地盤を掘削し、掘削した土壌と固化材とを混合して地盤中に杭を形成し地盤を改良する工法の全般に適用することができる。
【図面の簡単な説明】
【００１５】
【図１】本発明の実施例を示す地盤改良の混合攪拌装置の構成図である。
【図２】（ａ）、（ｂ）及び（ｃ）  それぞれ本発明の実施例を示す地盤改良の混合攪拌装置の分解説明図である。
【図３】本発明の実施例のを示す地盤改良の混合攪拌装置の説明図である。
【図４】本発明の実施例を示す地盤改良の混合攪拌装置の使用例の構成図である。
【図５】従来例の地盤改良の混合攪拌装置の構成図である。
【符号の説明】
【００１６】
１    単軸の攪拌軸（回転ロッド）
５    掘削羽根
１１    回転ドラム
１２Ａ    攪拌部材（回転羽根）
１２Ｂ    攪拌部材（固定羽根）
１４    固定ブレ−ド
１６    吐出口
Ｘ      地盤改良の単軸対流混合攪拌装置
【図１】
2008095401.tif 000003
【図２】
2008095401.tif 000004
【図３】
2008095401.tif 000005
【図４】
2008095401.tif 000006
【図５】
2008095401.tif 000007